(57)【特許請求の範囲】
【請求項１】
室外機及び複数の室内機を備えた空気調和装置を、集中制御装置にて集中制御する空気調和システムにおいて、
上記空気調和装置には、当該空気調和装置にて使用したエネルギーを計量するエネルギー計量計が接続され、
上記集中制御装置は、上記室内機毎のエネルギー按分率を算出する異なった種類の計算方式が格納された記憶装置を備え、上記エネルギー計量計の接続形態に応じた上記計算方式に基づき、上記室内機毎のエネルギー按分率を算出するよう構成され、
上記エネルギー計量計の接続形態に応じたエネルギー按分率の計算方式は、エネルギー計量計が室外機及び室内機に接続されて、これら室外機及び室内機の使用エネルギー量をともに計量しているときには、空気調和装置におけるサーモＯＮ運転の累積運転時間及びサーモＯＦＦ運転の累積運転時間をともに考慮したものであり、また、上記エネルギー計量計が室外機に接続されて、この室外機の使用エネルギー量のみを計量しているときには、上記空気調和装置におけるサーモＯＮ運転の累積運転時間を考慮したものであること、
を特徴とする空気調和システム。
【請求項２】
上記集中制御装置には、記憶装置に格納された異なる種類のエネルギー按分率の計算方式を選択するための選択スイッチが設けられたことを特徴とする請求項１に記載の空気調和システム。
【請求項３】
上記エネルギーは電力であり、上記エネルギー計量計は、空気調和装置にて使用した電力を計量する電力量メータであり、上記集中制御装置は、室内機毎に電力按分率を算出することを特徴とする請求項１または２に記載の空気調和システム。
【発明の詳細な説明】
【０００１】
【発明の属する技術分野】
本発明は、複数の室内機を有する一または複数の空気調和装置を集中制御装置が集中制御する空気調和システムに係り、特に、上記集中制御装置が各室内機毎のエネルギー按分率を算出する空気調和システムに関する。
【０００２】
【従来の技術】
例えば、ビル等の空気調和システムにおいては、一または複数の室外機と複数の室内機とを有する一または複数の空気調和装置が、１台の集中制御装置により集中制御されるよう構成されたものが提案されている。
【０００３】
上述のような空気調和システムには、テナントビルなどのように、複数のユーザーが混在する環境に設置されることがある。このため、集中制御装置は、室内機毎に使用した電力の電力按分率を算出し、空気調和装置の使用電力量に上記電力按分率を乗じて、室内機毎の使用電力量及びその電力使用料金を算出できるようにしたものがある。
【０００４】
上記空気調和装置の使用電力量は、空気調和装置に接続されたメイン電力量メータによって計量される。そして、このメイン電力量メータは、空気調和装置の室外機及び室内機に接続されて、これら室外機及び室内機の使用電力量を計量する場合と、空気調和装置の室外機に接続されて、この室外機の使用電力量のみを計量する場合とがある。
【０００５】
室外機及び室内機の使用電力量がメイン電力量メータにて計量される前者の場合には、集中制御装置は、空気調和装置におけるサーモＯＮ運転の累積運転時間及びサーモＯＦＦ運転の累積運転時間を考慮して、室内機毎の電力按分率を算出し、上記メイン電力量メータにて計量された使用電力量に上記電力按分率を乗じて、室内機毎の使用電力量及びその電力使用料金を算出する。
【０００６】
ここで、サーモＯＮ運転は、室外機の圧縮機及び室外ファン、並びに室内機の室内ファンを運転させるものであり、また、サーモＯＦＦ運転は、室外機から室内機へ冷媒を供給させず、室内機の室内ファンのみを運転させるものである。
【０００７】
また、メイン電力量メータが室外機の使用電力量のみを計量する後者の場合は、各室内機側にサブ電力量メータを個別に設置して、各室内機にて使用した使用電力量を上記サブ電力量メータにて直接計量し、室外機が使用（消費）し、且つメイン電力量メータにて計量された電力を、集中制御装置によって各室内機毎に按分させるケースである。このケースは、室内機が個別に使用した電力量をサブ電力量メータにて簡単に計量できるので、増加の傾向にある。
【０００８】
【発明が解決しようとする課題】
メイン電力メータが室外機及び室内機の電力量を計量しているときには、室内機毎の電力按分率を算出するに際し、サーモＯＦＦ運転の累積運転時間を加味することは妥当である。
【０００９】
ところが、メイン電力量メータが室外機の使用電力量のみを計量しているときには、室内機毎の電力按分率を算出するに際し、サーモＯＦＦ運転の累積運転時間を加味すべきではない。サーモＯＦＦ運転時には、室外機から室内機へ冷媒が流れないので、当該室内機が、室外機の使用（消費）電力分を負担すべきではないからである。
【００１０】
本発明の目的は、上述の事情を考慮してなされたものであり、室内機毎のエネルギー按分率を、エネルギー計量計の空気調和装置への接続形態に応じて最適に算出できる空気調和システムを提供することにある。
【００１１】
【課題を解決するための手段】
請求項１に記載の発明は、室外機及び複数の室内機を備えた空気調和装置を、集中制御装置にて集中制御する空気調和システムにおいて、上記空気調和装置には、当該空気調和装置にて使用したエネルギーを計量するエネルギー計量計が接続され、上記集中制御装置は、上記室内機毎のエネルギー按分率を算出する異なった種類の計算方式が格納された記憶装置を備え、上記エネルギー計量計の接続形態に応じた上記計算方式に基づき、上記室内機毎のエネルギー按分率を算出するよう構成され、上記エネルギー計量計の接続形態に応じたエネルギー按分率の計算方式は、エネルギー計量計が室外機及び室内機に接続されて、これら室外機及び室内機の使用エネルギー量をともに計量しているときには、空気調和装置におけるサーモＯＮ運転の累積運転時間及びサーモＯＦＦ運転の累積運転時間をともに考慮したものであり、また、上記エネルギー計量計が室外機に接続されて、この室外機の使用エネルギー量のみを計量しているときには、上記空気調和装置におけるサーモＯＮ運転の累積運転時間を考慮したものであること、を特徴とするものである。
【００１２】
請求項２に記載の発明は、請求項１に記載の発明において、上記集中制御装置には、記憶装置に格納された異なる種類のエネルギー按分率の計算方式を選択するための選択スイッチが設けられたことを特徴とするものである。
【００１４】
請求項３に記載の発明は、請求項１または２のいずれかに記載の発明において、上記エネルギーは電力であり、上記エネルギー計量計は、空気調和装置にて使用した電力を計量する電力量メータであり、上記集中制御装置は、室内機毎に電力按分率を算出することを特徴とするものである。
【００１５】
請求項１または３に記載の発明には、次の作用がある。
【００１６】
集中制御装置が、記憶装置に格納されたエネルギー（電力）按分率の計算方式のうち、エネルギー計量計（電力量メータ）の接続形態に応じた計算方式に基づき、室内機毎のエネルギー按分率を算出することから、この室内機のエネルギー按分率を、エネルギー計量計の接続形態に対応した最適なエネルギー按分率とすることができる。この結果、このエネルギー按分率に基づき、各室内機の使用エネルギー量及びその電力使用料金を適切に算出できる。
また、空気調和装置のサーモＯＮ運転は、室外機の圧縮機及び室外ファン並びに室内機の室内ファンを運転させ、また、空気調和装置のサーモＯＦＦ運転は、室外機の圧縮機及び室外ファンを停止させ、室内機の室内ファンのみを運転させる。従って、エネルギー計量計（電力量メータ）が、室外機及び室内機の使用エネルギー（電力）量をともに計量しているときには、空気調和装置におけるサーモＯＮ運転の累積運転時間及びサーモＯＦＦ運転の累積運転時間をともに考慮して、室内機毎のエネルギー按分率を算出する。また、エネルギー計量計が、室外機の使用エネルギー量のみを計量しているときには、空気調和装置におけるサーモＯＦＦ運転の累積運転時間を考慮することなく、サーモＯＮ運転の累積運転時間のみを考慮して、室内機毎のエネルギー按分率を算出する。これらにより、エネルギー計量計の空気調和装置への接続形態に応じて最適なエネルギー按分率を求めることができる。
【００１７】
請求項２または３に記載の発明には、次の作用がある。
【００１８】
集中制御装置の操作者が選択スイッチを操作することによって、集中制御装置は、エネルギー計量計（電力量メータ）の接続形態に応じた最適な、室内機毎のエネルギー（電力）按分率を算出することができる。
【００２１】
【発明の実施の形態】
以下、本発明の実施の形態を図面に基づいて説明する。
【００２２】
図１は、本発明に係る空気調和システムの一実施の形態を示す系統図である。
【００２３】
この図１に示す空気調和システム１０は、複数、例えば２基の第１空気調和装置１１と第２空気調和装置１２とを、それぞれ第１通信アダプタ２１、第２通信アダプタ２２を介して集中制御装置１５により集中的に制御するように構成されたものである。
【００２４】
第一空気調和装置１１及び第二空気調和装置１２は、１台の室外機１６に、例えば３台の室内機１７、１８及び１９が冷媒配管によって接続されてそれぞれ構成される、いわゆるマルチタイプの空気調和装置である。
【００２５】
上記集中制御装置１５は、２線方式のメイン通信線２０を介して、第一通信アダプタ２１及び第二通信アダプタ２２に接続される。この第一通信アダプタ２１は、同じく２線方式のサブ通信線２３を介して、第一空気調和装置１１の室外機１６並びに室内機１７、１８及び１９に接続される。また、第二通信アダプタ２２は、同じく２線方式のサブ通信線２４を介して、第二空気調和装置１２の室外機１６並びに室内機１７、１８及び１９に接続される。
【００２６】
上記サブ通信線２３は、第一空気調和装置１１の室外機１６と室内機１７、１８及び１９との間で空調制御用信号を送受信させて、これらの室外機１６と室内機１７、１８及び１９に空調機能を発揮させるものである。また、サブ通信線２４も同様に、第二空気調和装置１２の室外機１６と室内機１７、１８及び１９との間で空調制御用信号を送受信させて、これらの室外機１６と室内機１７、１８及び１９に空調機能を発揮させるものである。
【００２７】
上記メイン通信線２０は、集中制御用信号を、集中制御装置１５から第一通信アダプタ２１を介して第一空気調和装置１１へ、また、第二通信アダプタ２２を介して第二空気調和装置１２へそれぞれ送受信するものである。更に、このメイン通信線２０は、第一空気調和装置１１から第一通信アダプタ２１を介して、また、第二空気調和装置１２から第二通信アダプタ２２を介して運転状態データを集中制御装置１５へ送信するものである。
【００２８】
ここで、第一通信アダプタ２１及び第二通信アダプタ２２は、集中制御装置１５との間でメイン通信線２０を用いて送受信される信号と、第一空気調和装置１１、第二空気調和装置１２との間でサブ通信線２３、２４をそれぞれ用いて送受信される信号との通信形態を変換する機器である。
【００２９】
上記集中制御装置１５は、この集中制御装置１５を構成する操作表示装置２５を用いて、第一通信アダプタ２１を介し第一空気調和装置１１を集中制御すると共に、この第一空気調和装置１１の状態を監視し、また、第二通信アダプタ２２を介し第二空気調和装置１２を集中制御するとともに、この第二空気調和装置１２の状態を監視する。
【００３０】
また、第一空気調和装置１１及び第二空気調和装置１２の室内機１７、１８、１９のそれぞれにはリモートコントローラ２６が接続されている。室内機１７、１８及び１９は、このリモートコントローラ２６の手動操作によって、運転や停止、設定温度の変更、冷房や暖房などの運転モードの切換などがなされる。
【００３１】
ところで、上記第一空気調和装置１１及び第二空気調和装置１２のそれぞれは、図２に示すように、ガス管３５Ａ及び液管３５Ｂから成る主冷媒配管３５に、室外機１６の室外冷媒配管１３と、例えば３台の室内機１７、１８、１９の各室内冷媒配管１４とが接続されて構成される。
【００３２】
上記室外機１６は、室外冷媒配管１３に圧縮機２７が配設され、この圧縮機２７の吸込側にアキュムレータ２８が配設され、吐出側に四方弁２９、室外熱交換器３０が順次配設されて構成される。室外冷媒配管１３のアキュムレータ２８側端部が、四方弁２９を介して主冷媒配管３５のガス管３５Ａに接続され、室外冷媒配管１３の室外熱交換器３０側端部が液管３５Ｂに接続される。この室外熱交換器３０近傍に室外ファン３３が配置される。
【００３３】
上記室内機１７、１８、１９のそれぞれは、室内冷媒配管１４に室内熱交換器３１、膨張弁３２が順次配設されて構成される。室内冷媒配管１４の室内熱交換器３１側端部が主冷媒配管３５のガス管３５Ａに接続され、膨張弁３２側端部が液管３５Ｂに接続される。また、室内熱交換器３１近傍に室内ファン３４が配置される。上記膨張弁３２は、その弁開度が空調負荷に応じて調整される。
【００３４】
上記室外機１６の四方弁２９の切換により、第一空気調和装置１１、第二空気調和装置１２が冷房運転と暖房運転に設定される。
【００３５】
四方弁２９が冷房側に切り換えられたときには、図２の実線矢印に示す如く、圧縮機２７から吐出された冷媒は、四方弁２９を経て室外熱交換器３０に至り、この室外熱交換器３０で凝縮された後液管３５Ｂ内を流れ、室内機１７、１８、１９のそれぞれの室内冷媒配管１４に分流され、各室内機１７、１８、１９の膨張弁３２を経て減圧された後、室内熱交換器３１にて蒸発されて室内を冷房する。各室内機１７、１８、１９の室内熱交換器３１からの冷媒はガス管３５Ａで合流し、アキュムレータ２８を経て圧縮機２７に戻される。
【００３６】
また、四方弁２９が暖房側に切り換えられたときには、図２の破線矢印に示す如く、圧縮機２７から吐出された冷媒は、四方弁２９を経てガス管３５Ａ内を流れ、室内機１７、１８、１９のそれぞれの室内冷媒配管１４に分流され、各室内機１７、１８、１９の室内熱交換器３１にて凝縮されて室内を暖房する。室内熱交換器３１にて凝縮された冷媒は膨張弁３２にて減圧され、液管３５Ｂにて合流され、室外機１６の室外熱交換器３０にて蒸発された後、四方弁２９及びアキュムレータ２８を経て圧縮機２７に戻される。
【００３７】
上記第一空気調和装置１１及び第二空気調和装置１２は、冷房運転又は暖房運転時において、室温がサーモＯＦＦ温度に至るまでサーモＯＮ運転を継続して実施して室内を冷房又は暖房し、室温がサーモＯＦＦ温度に至ったときにサーモＯＦＦ運転を実施し、室温がサーモＯＮ温度に至るまで上記サーモＯＦＦ運転を継続し、その後、室温がサーモＯＮ温度に至ったときにサーモＯＮ運転を再び実施し、以下、これらのサーモＯＮ運転及びサーモＯＦＦ運転を繰り返す。
【００３８】
ここで、サーモＯＮ運転は、室外機１６の圧縮機２７及び室外ファン３３、並びに室内機１７、１８、１９の室内ファン３４を運転させて、室外機１６と室内機１７、１８、１９との間で冷媒を循環させる運転であり、室外機１６及び室内機１７、１８、１９においてエネルギーとしての電力が使用（消費）される。また、サーモＯＦＦ運転は、室外機１６から室内機１７、１８、１９へ冷媒が供給されず、室内機１７、１８、１９の室内ファン３４のみを運転させるものであり、室外機１６において電力が使用されず、室内機１７、１８、１９においてのみ電力が使用される。
【００３９】
さて、図１に示すように、上記集中制御装置１５は、ＣＰＵ３６、第一記憶装置３７、第二記憶装置３８及び前記操作表示装置２５を有して構成され、前述の第一空気調和装置１１及び第二空気調和装置１２の集中制御機能及び状態監視機能の他、第一空気調和装置１１又は第二空気調和装置１２における室内機１７、１８、１９毎の、エネルギー按分率としての電力按分率を算出する機能を有する。
【００４０】
以下、この集中制御装置１５による室内機１７、１８、１９毎の電力按分率の算出機能を説明する。
【００４１】
その前提として、各第一空気調和装置１１、第二空気調和装置１２には、これらの第一空気調和装置１１、第二空気調和装置１２にて使用したエネルギーとしての電力を計量する、エネルギー計量計としてのメイン電力量メータ３９が接続されている。この接続形態には２種類あり、メイン電力量メータ３９が各第一空気調和装置１１、第二空気調和装置１２の室外機１６並びに室内機１７、１８及び１９に接続されている場合と、各第一空気調和装置１１、第二空気調和装置１２の室外機１６のみに接続されている場合とがある。
【００４２】
メイン電力量メータ３９が各第一空気調和装置１１、第二空気調和装置１２の室外機１６並びに室内機１７、１８及び１９に接続される第一接続形態の場合には、このメイン電力量メータ３９は、各第一空気調和装置１１、第二空気調和装置１２における室外機１６並びに室内機１７、１８及び１９にて使用された使用電力量を計量する。また、メイン電力量メータ３９が各第一空気調和装置１１、第二空気調和装置１２の室外機１６のみに接続される第二接続形態の場合には、このメイン電力量メータ３９は、各第一空気調和装置１１、第二空気調和装置１２における室外機１６のみにて使用された電力使用量を計量する。
【００４３】
一方、上記第一記憶装置３７には、各第一空気調和装置１１、第二空気調和装置１２について室内機１７、１８、１９毎の電力按分率、及びこれらの室内機１７、１８、１９のそれぞれにて使用された使用電力量を算出する異なった種類の計算方式（第一計算方式、第二計算方式）が格納されている。
【００４４】
ここで、第一空気調和装置１１、第二空気調和装置１２の運転状態データのうち、上記第一及び第二計算方式において用いられる、各第一空気調和装置１１、第二空気調和装置１２における室内機１７、１８、１９のサーモＯＮ運転の累積運転時間をそれぞれＮ１、Ｎ２、Ｎ３とし、室内機１７、１８、１９のサーモＯＦＦ運転の累積運転時間をそれぞれＦ１、Ｆ２、Ｆ３とし、室内機１７、１８、１９の標準空調能力（機種）をそれぞれＰ１、Ｐ２、Ｐ３とする。また、メイン電力量メータ３９にて計量された、各第一空気調和装置１１、第二空気調和装置１２における室外機１６側の使用（消費）電力量をＷＯとし、室内機１７、１８及び１９側の使用（消費）電力量をＷＩとする。
【００４５】
上記第一計算方式における室内機１７、１８、１９のそれぞれの電力按分率Ｒ１１、Ｒ１２、Ｒ１３は、第一空気調和装置１１、第二空気調和装置１２におけるサーモＯＮ運転の累積運転時間及びサーモＯＦＦ運転の累積運転時間を考慮した、次式（１）、（２）、（３）にて算出される。
【００４６】
【数１】
0003857833.tif 000002
【００４７】
【数２】
0003857833.tif 000003
【００４８】
【数３】
0003857833.tif 000004
また、この第一計算式における室内機１７、１８、１９のそれぞれの使用電力量Ｘ１１、Ｘ１２、Ｘ１３は、次式（４）、（５）、（６）にて算出される。
【００４９】
【数４】
0003857833.tif 000005
【００５０】
【数５】
0003857833.tif 000006
【００５１】
【数６】
0003857833.tif 000007
上記第二計算方式における室内機１７、１８、１９のそれぞれの電力按分率Ｒ２１、Ｒ２２、Ｒ２３は、第一空気調和装置１１、第二空気調和装置１２のサーモＯＦＦ運転の累積運転時間を考慮せず、サーモＯＮ運転の累積運転時間のみを考慮した、次式（７）、（８）、（９）にて算出される。
【００５２】
【数７】
0003857833.tif 000008
【００５３】
【数８】
0003857833.tif 000009
【００５４】
【数９】
0003857833.tif 000010
また、第二計算方式における室内機１７、１８、１９のそれぞれの使用電力量Ｘ２１、Ｘ２２、Ｘ２３は、次式（１０）、（１１）、（１２）にて算出される。
【００５５】
【数１０】
0003857833.tif 000011
【００５６】
【数１１】
0003857833.tif 000012
【００５７】
【数１２】
0003857833.tif 000013
他方、第二記憶装置３８には、上述の室内機１７、１８、１９のサーモＯＮ運転の累積運転時間Ｎ１、Ｎ２、Ｎ３と、サーモＯＦＦ運転の累積運転時間Ｆ１、Ｆ２、Ｆ３と、標準空調能力Ｐ１、Ｐ２、Ｐ３と、第一空気調和装置１１、第二空気調和装置１２の室外機１６側の使用電力量ＷＯと、室内機１７、１８及び１９側の使用電力量ＷＩとが逐次格納される。
【００５８】
また、操作表示装置２５における図３に示す操作画面４０には、第一操作スイッチ４１、第二操作スイッチ４２が設けられている。第一操作スイッチ４１が、第一記憶装置３７に格納された電力按分率などの第一計算方式を選択するスイッチであり、第二操作スイッチ４２が第一記憶装置３７に格納された電力按分率などの第二計算方式を選択するスイッチである。
【００５９】
集中制御装置１５の操作者が、メイン電力量メータ３９の接続形態に基づき、第一操作スイッチ４１または第二操作スイッチ４２のいずれかをタッチ操作することによって、集中制御装置１５のＣＰＵ３６は、タッチ操作された第一操作スイッチ４１または第二操作スイッチ４２に対応する計算方式を第一記憶装置３７から取り出し、この計算方式に基づき、各第一空気調和装置１１、第二空気調和装置１２における室内機１７、１８、１９毎の電力按分率と、室内機１７、１８、１９毎の使用電力量と、各室内機１７、１８、１９の電力使用料金とを算出し積算する。
【００６０】
つまり、メイン電力量メータ３９が各第一空気調和装置１１、第二空気調和装置１２の室外機１６並びに室内機１７、１８及び１９に接続される第一接続形態の場合には、このメイン電力量メータ３９が室外機１６並びに室内機１７、１８及び１９にて使用された電力量を計量していることから、操作者によって第一操作スイッチ４１がタッチ操作されて、集中制御装置１５のＣＰＵ３６は、室内機１７、１８、１９毎の電力按分率及び使用電力量を算出する第一計算方式に基づき、まず式（１）、（２）、（３）を用いて室内機１７、１８、１９毎の電力按分率Ｒ１１、Ｒ１２、Ｒ１３を算出し、次に、式（４）、（５）、（６）を用いて室内機１７、１８、１９毎の使用電力量Ｘ１１、Ｘ２、Ｘ１３を算出し、これらの使用電力量Ｘ１１、Ｘ１２、Ｘ１３から室内機１７、１８、１９毎の電力使用料金を算出する。
【００６１】
また、メイン電力量メータ３９が各第一空気調和装置１１、第二空気調和装置１２の室外機１６のみに接続される第二接続形態の場合には、このメイン電力量メータ３９が室外機１６にて使用された電力量のみを計量していることから、操作者によって第二操作スイッチ４２がタッチ操作されて、集中制御装置１５のＣＰＵ３６は、室内機１７、１８、１９毎の電力按分率及び使用電力量を算出する第二計算方式に基づき、まず、式（７）、（８）、（９）を用いて室内機１７、１８、１９毎の電力按分率Ｒ２１、Ｒ２２、Ｒ２３を算出し、次に、式（１０）、（１１）、（１２）を用いて室内機１７、１８、１９毎の使用電力量Ｘ２１、Ｘ２２、Ｘ２３を算出し、これらの使用電力量Ｘ２１、Ｘ２２、Ｘ２３から室内機１７、１８、１９毎の電力使用料金を算出する。
【００６２】
この第二接続形態の場合には、室内機１７、１８、１９毎にサブ電力量メータ（不図示）が個別に設置され、これらのサブ電力量メータによって各室内機１７、１８、１９のみが使用した使用電力量が直接計量される。サブ電力量メータの計量値が集中制御装置１５に入力され、第二記憶装置３８に格納される場合には、集中制御装置１５のＣＰＵ３６は、室外機１６が使用した使用電力量を、上述のようにして各室内機１７、１８、１９毎に按分した後（使用電力量Ｘ２１、Ｘ２２、Ｘ２３）、これらの使用電力量Ｘ２１、Ｘ２２、Ｘ２３に各室内機１７、１８、１９毎のサブ電力量メータによる計量値を加算して、室内機１７、１８、１９毎の合計使用電力量を算出し、これらの合計使用電力量から室内機１７、１８、１９毎の電力使用料金を算出する。
【００６３】
集中制御装置１５のＣＰＵ３６は、上述のようにして算出した各第一空気調和装置１１、第二空気調和装置１２の室内機１７、１８、１９毎の電力按分率、使用電力用及び電力使用料金を、操作表示装置２５の表示画面（不図示）に表示する。
【００６４】
従って、上記実施の形態によれば、次の効果▲１▼及び▲２▼を奏する。
【００６５】
▲１▼集中制御装置１５のＣＰＵ３６が、第一記憶装置３７にて格納された電力按分率の第一及び第二計算方式のうち、メイン電力量メータ３９の接続形態に応じた計算方式に基づき、室内機１７、１８、１９毎の電力按分率を算出する。つまり、メイン電力量メータ３９が、室外機１６並びに室内機１７、１８及び１９の使用電力量を計量しているときには（第一接続形態）、第一空気調和装置１１、第二空気調和装置１２におけるサーモＯＮ運転の累積運転時間及びサーモＯＦＦ運転の累積運転時間を共に考慮した第一計算方式に基づき、室内機１７、１８、１９毎の電力按分率を算出する。また、メイン電力量メータ３９が室外機１６の使用電力量のみを計量しているときには（第二接続形態）、第一空気調和装置１１、第二空気調和装置１２におけるサーモＯＦＦ運転の累積運転時間を考慮することなく、サーモＯＮ運転の累積運転時間のみを考慮した第二計算方式に基づき、室内機１７、１８、１９毎の電力按分率を算出する。これらにより、室内機１７、１８、１９の電力按分率を、メイン電力量メータ３９の接続形態に対応した最適な電力按分率とすることができる。この結果、この電力按分率に基づき、各室内機１７、１８、１９の使用電力量及びその電力使用料金を適切に算出できる。
【００６６】
▲２▼集中制御装置１５の操作者が、操作表示装置２５における操作画面４０の第一操作スイッチ４１又は第二操作スイッチ４２を操作することによって、集中制御装置１５のＣＰＵ３６は、メイン電力量メータ３９の接続形態に応じた最適な、室内機１７、１８、１９毎の電力按分率を算出することができる。
【００６７】
以上、本発明を上記実施の形態に基づいて説明したが、本発明はこれに限定されるものではない。
【００６８】
例えば、室内機１７、１８、１９の電力按分率を第一空気調和装置１１、第二空気調和装置１２の運転状態データのうち、室内機１７、１８、１９におけるサーモＯＮ運転の累積運転時間Ｎ１、Ｎ２、Ｎ３と、サーモＯＦＦ運転の累積運転時間Ｆ１、Ｆ２、Ｆ３と、標準空調能力Ｐ１、Ｐ２、Ｐ３とを用いて算出する場合を述べたが、他の運転状態データを用いて算出しても良い。
【００６９】
また、上記実施の形態では、第一記憶装置３７に記憶された電力按分率の計算方式の選択スイッチが、操作表示装置２５に表示される操作画面４０の第一操作スイッチ４１、第二操作スイッチ４２である場合を述べたが、集中制御装置１５の制御板に設置されたディップスイッチであっても良い。
【００７０】
更に、上記実施の形態では、第一空気調和装置１１、第二空気調和装置１２に使用されるエネルギーが電力の場合を述べたが、ガスの場合で、ガス按分率を算出し、ガス計量メータにて計量されたガス使用量から室内機１７、１８、１９毎にガス使用量を算出するものでも良い。
【００７１】
【発明の効果】
以上のように、本発明に係る空気調和システムによれば、室外機及び複数の室内機を備えた空気調和装置には、当該空気調和装置にて使用したエネルギーを計量するエネルギー計量計が接続され、空気調和装置を集中制御する集中制御装置は、室内機毎のエネルギー按分率を算出する異なった種類の計算方式が格納された記憶装置を備え、エネルギー計量計の接続形態に応じた上記計算方式に基づき、室内機毎のエネルギー按分率を算出するよう構成されたことから、室内機毎のエネルギー按分率を、エネルギー計量計の空気調和装置への接続形態に応じて最適に算出できる。
【図面の簡単な説明】
【図１】本発明に係る空気調和システムの一実施の形態を示す系統図である。
【図２】図１の空気調和装置における冷媒回路を示す回路図である。
【図３】図１の操作表示装置における一画面を示す図である。
【符号の説明】
１０  空気調和システム
１１  第一空気調和装置
１２  第二空気調和装置
１５  集中制御装置
１６  室外機
１７、１８、１９  室内機
２０  メイン通信線
２３、２４  サブ通信線
２５  操作表示装置
３６  ＣＰＵ
３７  第一記憶装置
３９  メイン電力量メータ
４０  操作画面
４１  第一操作スイッチ
４２  第二操作スイッチ
【図１】
0003857833.tif 000014
【図２】
0003857833.tif 000015
【図３】
0003857833.tif 000016